(57)【特許請求の範囲】
【請求項１】
外装板と支持板とで構成した組立式家具の製造方法において、
外装板の中途部に外装板の伸延方向に沿って形成した長孔状の挿入口に支持板を途中まで挿入し、外装板の一端側を挿入口よりも前方の支持板の外周端縁に沿って外装板の伸延方向と直交する方向に谷折り状に屈曲させ、外装板の他端側を挿入口よりも後方の支持板の外周端縁に沿って外装板の伸延方向と直交する方向に山折り状に屈曲させたことを特徴とする組立式家具の製造方法。
【請求項２】
外装板と支持板とで構成した組立式家具において、
外装板の中途部に外装板の伸延方向に沿って形成した長孔状の挿入口に支持板が途中まで挿入されており、外装板の一端側が挿入口よりも前方の支持板の外周端縁に沿って外装板の伸延方向と直交する方向に谷折り状に屈曲されるとともに、外装板の他端側が挿入口よりも後方の支持板の外周端縁に沿って外装板の伸延方向と直交する方向に山折り状に屈曲されていることを特徴とする組立式家具。
【請求項３】
外装板と支持板とで構成し得る組立式家具において、
外装板の中途部に外装板の伸延方向に沿って形成した長孔状の挿入口に支持板を途中まで挿入し、外装板の一端側を挿入口よりも前方の支持板の外周端縁に沿って外装板の伸延方向と直交する方向に谷折り状に屈曲させ、外装板の他端側を挿入口よりも後方の支持板の外周端縁に沿って外装板の伸延方向と直交する方向に山折り状に屈曲させ得るものとすることを特徴とする組立式家具。
【発明の詳細な説明】
【技術分野】
【０００１】
本発明は、複数の部材を組み立てて家具として使用することができる組立式家具に関するものである。
【背景技術】
【０００２】
従来より、段ボール等からなる複数種類の部材を組み立てることによって家具として使用することができる組立式家具が知られている（たとえば、特許文献１参照。）。
【０００３】
従来の組立式家具は、予め所定形状に形成された複数種類の部材で構成されており、組立説明書等を参照しながら様々な部材を順番に組み立てるものであった。
【先行技術文献】
【特許文献】
【０００４】
【特許文献１】実用新案登録第３１９４５０５号公報
【発明の概要】
【発明が解決しようとする課題】
【０００５】
ところが、上記従来の組立式家具では、複数種類の部材を順番に組み立てるように構成されていたために、組立作業に多大な時間や労力を要するものであった。
【０００６】
また、従来の組立式家具では、簡易的に一時使用されることを主な目的としており、使用者に安らぎや美観を起こさせるような意匠とはなっていなかった。
【課題を解決するための手段】
【０００７】
そこで、請求項１に係る本発明では、外装板と支持板とで構成した組立式家具の製造方法において、外装板の中途部に外装板の伸延方向に沿って形成した長孔状の挿入口に支持板を途中まで挿入し、外装板の一端側を挿入口よりも前方の支持板の外周端縁に沿って外装板の伸延方向と直交する方向に谷折り状に屈曲させ、外装板の他端側を挿入口よりも後方の支持板の外周端縁に沿って外装板の伸延方向と直交する方向に山折り状に屈曲させることにした。
【０００８】
また、請求項２に係る本発明では、外装板と支持板とで構成した組立式家具において、外装板の中途部に外装板の伸延方向に沿って形成した長孔状の挿入口に支持板が途中まで挿入されており、外装板の一端側が挿入口よりも前方の支持板の外周端縁に沿って外装板の伸延方向と直交する方向に谷折り状に屈曲されるとともに、外装板の他端側が挿入口よりも後方の支持板の外周端縁に沿って外装板の伸延方向と直交する方向に山折り状に屈曲されていることにした。
【０００９】
また、請求項３に係る本発明では、外装板と支持板とで構成し得る組立式家具において、外装板の中途部に外装板の伸延方向に沿って形成した長孔状の挿入口に支持板を途中まで挿入し、外装板の一端側を挿入口よりも前方の支持板の外周端縁に沿って外装板の伸延方向と直交する方向に谷折り状に屈曲させ、外装板の他端側を挿入口よりも後方の支持板の外周端縁に沿って外装板の伸延方向と直交する方向に山折り状に屈曲させ得るものとすることにした。 
【発明の効果】
【００１０】
そして、本発明では、以下に記載する効果を奏する。
【００１１】
すなわち、本発明では、外装板と支持板とで構成し、外装板の中途部に形成した挿入口に支持板を途中まで挿入し、外装板の一端側を挿入口よりも前方の支持板の外周端縁に沿って谷折り状に屈曲させ、外装板の他端側を挿入口よりも後方の支持板の外周端縁に沿って山折り状に屈曲させることにしているために、組立式家具を構成する部材の種類が少なくなり、組立式家具の組立に要する時間や労力を軽減することができるとともに、シンプルな形状によって使用者に安らぎや美観を起こさせるような意匠性に優れた形態とすることができる。
【００１２】
特に、挿入口の前方及び後方の支持板の形状を三角形とした場合には、シンプルな形状でありながら長期間の使用に耐える十分な強度を確保することができる。
【００１３】
また、支持板の中途部に挿入口に係止される切欠を設け、切欠で外装板の中途部と端部とを挟持することにした場合にも、シンプルな形状でありながら長期間の使用に耐える十分な強度を確保することができる。
【図面の簡単な説明】
【００１４】
【図１】本発明に係る組立式家具を示す正面図。
【図２】同右側面図。
【図３】外装板を示す説明図。
【図４】支持板を示す説明図。
【発明を実施するための形態】
【００１５】
以下に、本発明に係る組立式家具の具体的な構成について図面を参照しながら説明する。なお、以下の説明では、組立式家具の一例としてイスに本発明を適用した場合について説明する。
【００１６】
図１及び図２に示すように、組立式家具１は、外装板２と支持板３とで構成する。なお、外装板２や支持板３の素材は、特に限定されるものではないが、プラスチックや紙や金属や木材などを用いることができ、軽量で強度が有り加工性やコストに優れる段ボールを用いることが望ましい。外装板２は、後述するように組立時に屈曲させるために屈曲性を有する素材が用いられる。
【００１７】
外装板２は、図３に示すように、中途部に支持板３の厚みと同等幅を有する長孔状の挿入口４が形成される。外装板２は、一方に伸延した形状（ここでは、長方形状）となっており、外装板２の伸延方向に沿って（平行に）挿入口４が形成される。なお、挿入口４は、支持板３が挿入できればよく、支持板３の厚みと同一であってもよく、また、支持板３の厚みよりも若干広狭するものであってもよいが、挿入された支持板３を挿入口４で強固に接続できるように、支持板３の厚みと同一の幅か若干狭い幅とするのが望ましい。
【００１８】
支持板３は、図４に示すように、中途部に外装板２の厚みの２倍幅を有する切欠５，６が形成される。支持板３は、間に切欠５，６を挟んで両側に突出した形状（ここでは、三角形状）となっている。なお、切欠５，６は、必ずしも形成されなければならないものではなく、また、いずれか一方だけに形成されていてもよい。また、切欠５，６の幅は、外装板２の中途部と端部とを係止できればよく、外装板２の厚みの２倍と同一幅であってもよく、それよりも若干広狭するものであってもよいが、切欠５，６に挿入された外装板２の端部及び中途部を切欠５，６で強固に係止できるように、外装板２の厚みの２倍かそれよりも若干狭い幅とするのが望ましい。
【００１９】
ここでは、支持板３を２枚の支持板構成部材７，８で構成する。支持板構成部材７，８は、支持板３の突出端（切欠５，６よりも両側に突出した部分の先端）同士を結んだ直線を共通の一辺とし、共通する一辺同士を当接させることで一体化した支持板３となる。なお、支持板３は、１枚で形成してもよく、複数枚で構成するようにしてもよいが、複数枚で構成した場合には外装板２に形成した挿入口４の長さよりも狭い幅とすることができて挿入口４に容易に挿入することができる。
【００２０】
組立式家具１は、以上に説明したように構成しており、使用時には次のようにして組み立てる。
【００２１】
まず、外装板２の挿入口４に支持板３を各支持板構成部材７，８ごとに挿入する。支持板３に切欠５，６が形成されている場合には、外装板２の挿入口４に支持板３を挿入した際に支持板３（各支持板構成部材７，８）が切欠５，６で緩やかに係止されるため、外装板２と支持板３とのずれが生じることがなく、組立作業を容易に行うことができる。
【００２２】
次に、外装板２の一端側（たとえば、挿入口４よりも下側）を挿入口４から前方に突出した支持板３の外周端縁に沿って谷折り状に屈曲する。外装板２は、支持板３の頂点（角）で外装板２の伸延方向と直交する方向に直線状に屈曲させ、外装板２の前面（組立てた状態では、外装板２の裏面）と支持板３の各辺を直交状に当接させて密着させる。これにより、支持板３の挿入口４よりも前方に突出した部分の周囲が外装板２の一端側で囲まれる。ここでは、挿入口４から前方に突出した支持板３の形状が三角形状であるため、図３に点線で示すように、外装板２を３ヶ所で谷折りする。なお、予め外装板２の屈曲部分に谷折り状の曲げ癖を形成しておいてもよい。
【００２３】
次に、谷折り状に屈曲させた外装板２の端部を支持板３の一方（たとえば、上側）の切欠５に挿入する。切欠５には、外装板２の中途部と端部とが重ねられた状態で挿入される。これにより、切欠５で外装板２の中途部と端部とを挟持する。
【００２４】
次に、外装板２の他端側（たとえば、挿入口４よりも上側）を挿入口４から後方に突出した支持板３の外周端縁に沿って山折り状に屈曲する。外装板２は、支持板３の頂点（角）で外装板２の伸延方向と直交する方向に直線状に屈曲させ、外装板２の後面（組立てた状態では、外装板２の裏面）と支持板３の各辺を直交状に当接させて密着させる。これにより、支持板３の挿入口４よりも後方に突出した部分の周囲が外装板２の他端側で囲まれる。ここでは、挿入口４から後方に突出した支持板３の形状が三角形状であるため、図３に二点鎖線で示すように、外装板２を３ヶ所で山折りする。なお、予め外装板２の屈曲部分に山折り状の曲げ癖を形成しておいてもよい。
【００２５】
次に、山折り状に屈曲させた外装板２の端部を支持板３の一方（たとえば、下側）の切欠６に挿入する。切欠６には、外装板２の中途部と端部とが重ねられた状態で挿入される。これにより、切欠６で外装板２の中途部と端部とを挟持する。
【００２６】
以上に説明したようにして組立式家具１を組み立てて使用することができる。なお、長期間安定して使用することなどを目的として、外装板２の端部を外装板２の中途部に接着してもよく、外装板２と支持板３の当接部分や各支持板構成部材７，８同士の当接部分などを接着してもよい。
【００２７】
上記説明では、組立式家具１としてイスを用いた場合について説明したが、外装板２や支持板３の形状を適宜変更することでイスに限られずテーブルやベッドなどその他の家具に本発明を適用することができる。また、必要とされる強度に応じて複数枚の支持板３を設けるようにしてもよい。
【００２８】
以上に説明したように、上記組立式家具１は、外装板２と支持板３とで構成し、外装板２の中途部に形成した挿入口４に支持板３を途中まで挿入し、外装板２の一端側を挿入口４よりも前方の支持板３の外周端縁に沿って谷折り状に屈曲させ、外装板２の他端側を挿入口４よりも後方の支持板３の外周端縁に沿って山折り状に屈曲させた構成となっている。
【００２９】
そのため、上記構成の組立式家具１では、組立式家具１を構成する部材の種類が少なくなり、組立式家具１の組立に要する時間や労力を軽減することができるとともに、シンプルな形状によって使用者に安らぎや美観を起こさせるような意匠性に優れた形態とすることができる。
【００３０】
また、上記組立式家具１は、挿入口４の前方及び後方の支持板３の形状を三角形とした構成となっている。
【００３１】
そのため、上記構成の組立式家具１では、シンプルな形状でありながら長期間の使用に耐える十分な強度を確保することができる。
【００３２】
さらに、上記組立式家具１は、支持板３の中途部に挿入口４に係止される切欠５，６を設け、切欠５，６で外装板２の中途部と端部とを挟持した構成となっている。これによっても上記構成の組立式家具１では、シンプルな形状でありながら長期間の使用に耐える十分な強度を確保することができる。
【符号の説明】
【００３３】
１  組立式家具
２  外装板
３  支持板
４  挿入口
５，６  切欠
７，８  支持板構成部材
【要約】      （修正有）【課題】組立作業性に優れるとともに、意匠性にも優れた組立式家具を提供すること。【解決手段】組立式家具１において、外装板２と支持板３とで構成し、外装板２の中途部に形成した挿入口に支持板３を途中まで挿入し、外装板２の一端側を挿入口よりも前方の支持板３の外周端縁に沿って谷折り状に屈曲させ、外装板２の他端側を挿入口よりも後方の支持板３の外周端縁に沿って山折り状に屈曲させることにした。また、支持板３は、挿入口の前方及び後方の支持板３の形状を三角形とすることにした。さらに、支持板３は、中途部に前記挿入口に係止される切欠を設け、切欠で前記外装板２の中途部と端部とを挟持することにした。【選択図】図１【図１】
0005931269.tif 000002
【図２】
0005931269.tif 000003
【図３】
0005931269.tif 000004
【図４】
0005931269.tif 000005